(57)【要約】【課題】  複数のチューナによりオートプリセット動作に要する時間を短縮化するとともに、オートプリセット処理を実行している間でも検出した番組の視聴を可能とする。【解決手段】  オートプリセット動作が開始されると、制御部５により搭載した2台のチューナ３ａ、３ｂにより同時にチャンネルサーチを実行するように制御する。この際、何れか一方のチューナ３ａで地上波のアナログ放送のチャンネルサーチを実行し、他方のチューナ３ｂで地上波デジタル放送のチャンネルサーチを実行する。この際、チューナ３ａによるアナログ放送のチャンネルサーチに比べてチューナ３ｂによるチャンネルサーチの処理時間が長くなるから、チューナ３ａによるチャンネルサーチが完了した時点で不揮発性メモリ９に書き込まれたアナログ放送のプリセット情報を読み出して受信可能な放送番組を視聴することができる。【選択図】      図１
2006211424.tif 000002
【特許請求の範囲】
【請求項１】
地上波アナログ放送、地上波デジタル放送、ケーブルテレビによるアナログ放送又はデジタル放送、衛星放送などの放送方式又は／及び放送モードが異なる放送信号が受信可能な複数の電子同調型チューナを備え、これらのチューナで受信した放送信号を記憶手段で記憶するとともに、その記憶手段に記憶されているプリセット情報に基づいて所望のチャンネルを選局する自動プリセット機能を備えた放送受信装置において、前記各チューナを制御する制御手段を設け、この制御手段によって、前記各チューナ毎に前記放送方式又は／及び放送モードが異なる放送信号をそれぞれ個別に受信するように制御するとともに、その各チューナがほぼ同時にチャンネルサーチを実行するように制御され、前記各チューナの何れかのチャンネルサーチが終了した時点において、そのプリセット情報を記憶手段で記憶し、他のチャンネルサーチの継続時において、前記終了したチャンネルサーチのプリセット情報に基づいて選局可能な放送番組が視聴可能であることを特徴とする自動プリセット機能を備えた放送受信装置。
【請求項２】
地上波アナログ放送、地上波デジタル放送、ケーブルテレビによるアナログ放送又はデジタル放送、衛星放送などの放送方式又は／及び放送モードが異なる放送信号が受信可能な複数の電子同調型チューナを備え、これらのチューナで受信した放送信号を記憶手段で記憶するとともに、その記憶手段に記憶されているプリセット情報に基づいて所望のチャンネルを選局する自動プリセット機能を備えた放送受信装置において、前記各チューナを制御する制御手段を設け、この制御手段によって、前記各チューナ毎に放送方式又は／及び放送モードが異なる放送信号をそれぞれ個別に受信するように制御するとともに、各チューナによるチャンネルサーチをずらして何れか一つのチューナのチャンネルサーチが完了してから、他のチューナによるチャンネルサーチを実行するように制御するとともに、最初のチャンネルサーチが終了した時点において、そのプリセット情報を記憶手段で記憶し、その後のチャンネルサーチの継続時において前記終了したプリセット情報に基づいて選局可能な放送番組が視聴可能であることを特徴とする自動プリセット機能を備えた放送受信装置。
【請求項３】
地上波アナログ放送、地上波デジタル放送、ケーブルテレビによるアナログ放送又はデジタル放送、衛星放送などの放送方式又は／及び放送モードが異なる放送信号が受信可能な複数の電子同調型チューナを備え、これらのチューナで受信した放送信号を記憶手段で記憶するとともに、その記憶手段に記憶されているプリセット情報に基づいて所望のチャンネルを選局する自動プリセット機能を備えた放送受信装置において、前記各チューナを制御する制御手段を設け、この制御手段によって、前記各チューナ毎に前記放送方式又は／及び放送モードが異なる放送信号をそれぞれ個別に受信するように制御する同時チャンネルサーチモードと、各チューナによるチャンネルサーチをずらして何れか一つのチューナのチャンネルサーチが完了してから、他のチューナによるチャンネルサーチを実行するように制御する段階的チャンネルサーチモードとが選択可能であることを特徴とする自動プリセット機能を備えた放送受信装置。
【請求項４】
前記放送受信装置は、前記チャンネルサーチのプリセット情報に基づいて選局した放送番組の視聴中、サブ画面で他方のチューナによるチャンネルサーチ情報が表示可能であることを特徴とする請求項１〜３の何れか１項に記載の自動プリセット機能を備えた放送受信装置。
【発明の詳細な説明】
【技術分野】
【０００１】
本発明は、地上波アナログ放送、地上波デジタル放送、ケーブルテレビによるアナログ放送又はデジタル放送、衛星放送などの放送方式又は／及び放送モードが異なる放送信号が受信可能な複数の電子同調型チューナを備え、これらのチューナで受信した放送信号を記憶手段で記憶するとともに、その記憶手段に記憶されているプリセット情報に基づいて所望のチャンネルを選局する自動プリセット機能を備えた放送受信装置に関する。
【背景技術】
【０００２】
電子同調型チューナ（以降、チューナと略す）を備えた放送受信装置、例えば、テレビジョン受像機では、チューナにより放送信号の有無をサーチし、受信されるチャンネルのデータを不揮発性メモリなどの記憶手段に記録（プリセット）し、以降、指定（選局）されたチャンネルのデータをメモリより読出し、チューナの受信周波数を制御し、テレビジョン放送等を受信するチャンネルの自動検索、いわゆるオートプリセット機能を備えており、オートプリセット機能を用いれば不揮発性メモリに記憶されたプリセット情報に基づいてチューナの選局動作を制御することで、選択されたチャンネル番号の信号を受信でき、また、視聴者はチャンネルアップキーあるいはチャンネルダウンキーを操作することによって、使用チャンネルのみを順次選択して、所望のチャンネルを容易に選局できる。
【０００３】
ところで、近年の放送システムが多様化し、地上波アナログ放送やケーブルテレビ、衛星放送等など種々の放送が行われており、視聴者が選択可能なチャンネル数（放送局数）は飛躍的に増加している。例えば、地上波デジタル放送における放送局数は百を越えるチャンネルを確保することが可能である。このため、選択可能なチャンネル数が増加するに伴い、オートプリセット動作を実行したときの処理時間が長くなってしまう。その要因としては、地上波デジタル放送は、放送局により定められた放送周波数内にアナログ放送と混在し、地上波デジタル放送のチャンネルのみをサーチするのに時間が掛かり、地上波デジタル放送のチャンネルのプリセットに時間がかかる。一方、テレビジョン受像機は、録画機能や複数の放送番組を同時に表示する機能等を有する機種が多数開発されており、このような機能を有するテレビジョン受像機では、視聴者が選局した番組を表示するために用いるチューナだけでなく、録画機能や複数の放送番組を同時に表示する機能等を実現するためのチューナが別個に設けられている。このように複数のチューナを搭載したテレビジョン受像機において、特許文献１では別個に搭載したチューナを用いて交互にチャンネルサーチを行い、受信されたチャンネルの選局データを記憶（プリセット）するように構成した自動プリセット装置が提案されている。
【０００４】
【特許文献１】特開平１０−１５０３４６号公報
【発明の開示】
【発明が解決しようとする課題】
【０００５】
特許文献１に開示される自動プリセット装置によれば、１台のチューナでプリセットする場合のように各チャンネルで周波数の安定するまで待つ時間を半減でき、迅速にプリセットできるものの、オートプリセット動作を実行している間、仮に一方のチューナでチャンネルサーチが完了している状況であっても、完了したプリセット情報に基づいて放送中の番組を視聴することができず、結局のところ、複数のチューナによるチャンネルサーチが完了するまでの間は、放送番組を視聴することができず、ユーザーにとって無用な待ち時間となるため、快適性が損なわれる、という課題を有している。
【０００６】
そこで、本発明は、複数のチューナを用いてオートプリセット動作に要する時間を短くできるとともに、オートプリセット処理を実行している間でも検出した番組の視聴が可能な自動プリセット機能を備えた放送受信装置を提供することを目的とする。
【課題を解決するための手段】
【０００７】
請求項１に係る自動プリセット機能を備えた放送受信装置は、地上波アナログ放送、地上波デジタル放送、ケーブルテレビによるアナログ放送又はデジタル放送、衛星放送などの放送方式又は／及び放送モードが異なる放送信号が受信可能な複数の電子同調型チューナを備え、これらのチューナで受信した放送信号を記憶手段で記憶するとともに、その記憶手段に記憶されているプリセット情報に基づいて所望のチャンネルを選局する自動プリセット機能を備えた放送受信装置において、前記各チューナを制御する制御手段を設け、この制御手段によって、前記各チューナ毎に前記放送方式又は／及び放送モードが異なる放送信号をそれぞれ個別に受信するように制御するとともに、その各チューナがほぼ同時にチャンネルサーチを実行するように制御され、前記各チューナの何れかのチャンネルサーチが終了した時点において、そのプリセット情報を記憶手段で記憶し、他のチャンネルサーチの継続時において、前記終了したチャンネルサーチのプリセット情報に基づいて選局可能な放送番組が視聴可能であることを特徴とする。
【０００８】
請求項１の構成によれば、制御部により一方のチューナで地上波アナログ放送のチャンネルサーチを実行し、他方のチューナで例えばケーブルテレビ（デジタル放送）や地上波デジタル放送のチャンネルサーチを実行する。このようにして各チューナで地上波アナログ放送、ケーブルテレビ（デジタル放送）や地上波デジタル放送の全ての放送チャンネルをサーチするが、地上波デジタル放送における放送局数は百を越えるチャンネルが存在することから、地上波アナログ放送のチャンネルサーチに比べてチャンネルサーチの処理時間が長くなり、必然的に地上波アナログ放送のチャンネルサーチが早く完了することになる。このように、早くチャンネルサーチが完了する地上波アナログ放送のチャンネルサーチが終った段階で、そのプリセット情報を記憶手段に書き込む処理を行う。このようにして地上波アナログ放送のチャンネルのプリセットが完了した時点で記憶手段に記憶された地上波アナログ放送のプリセット情報を読出すことで、地上波アナログ放送のチャンネルサーチを実行したチューナを制御して該チューナで受信可能な映像を表示部に表示する。この後、他方のチューナによる例えば地上波デジタル放送のチャンネルサーチが完了すると、その地上波デジタル放送のプリセット情報が記憶手段に書き込まれ、地上波アナログ放送及び地上波デジタル放送の全ての放送チャンネルのチャンネルサーチが完了する。以後、記憶手段に記憶された地上波アナログ放送及び地上波デジタル放送のプリセット情報を読出すことで、地上波アナログ放送及び地上波デジタル放送の全ての放送チャンネルから所望のチャンネルを選局して映像を表示部で表示することが可能となる。
【０００９】
請求項２に係る自動プリセット機能を備えた放送受信装置は、地上波アナログ放送、地上波デジタル放送、ケーブルテレビによるアナログ放送又はデジタル放送、衛星放送などの放送方式又は／及び放送モードが異なる放送信号が受信可能な複数の電子同調型チューナを備え、これらのチューナで受信した放送信号を記憶手段で記憶するとともに、その記憶手段に記憶されているプリセット情報に基づいて所望のチャンネルを選局する自動プリセット機能を備えた放送受信装置において、前記各チューナを制御する制御手段を設け、この制御手段によって、前記各チューナ毎に放送方式又は／及び放送モードが異なる放送信号をそれぞれ個別に受信するように制御するとともに、各チューナによるチャンネルサーチをずらして何れか一つのチューナのチャンネルサーチが完了してから、他のチューナによるチャンネルサーチを実行するように制御するとともに、最初のチャンネルサーチが終了した時点において、そのプリセット情報を記憶手段で記憶し、その後のチャンネルサーチの継続時において前記終了したプリセット情報に基づいて選局可能な放送番組が視聴可能であることを特徴とする。
【００１０】
請求項２の構成によれば、オートプリセット動作が開始されると、制御部により一方のチューナで地上波アナログ放送のチャンネルサーチが完了してから、他方のチューナで例えばケーブルテレビ（デジタル放送）や地上波デジタル放送のチャンネルサーチを実行する。一方のチューナによってチャンネルサーチした地上波アナログ放送のプリセット情報は記憶手段に書き込まれ、他方のチューナによって例えば地上波デジタル放送のチャンネルサーチが継続している状態であっても記憶手段に記憶された地上波アナログ放送のプリセット情報を読み出して受信可能なチャンネルからの映像を表示部で表示することが可能である。
【００１１】
請求項３に係る自動プリセット機能を備えた放送受信装置は、地上波アナログ放送、地上波デジタル放送、ケーブルテレビによるアナログ放送又はデジタル放送、衛星放送などの放送方式又は／及び放送モードが異なる放送信号が受信可能な複数の電子同調型チューナを備え、これらのチューナで受信した放送信号を記憶手段で記憶するとともに、その記憶手段に記憶されているプリセット情報に基づいて所望のチャンネルを選局する自動プリセット機能を備えた放送受信装置において、前記各チューナを制御する制御手段を設け、この制御手段によって、前記各チューナ毎に前記放送方式又は／及び放送モードが異なる放送信号をそれぞれ個別に受信するように制御する同時チャンネルサーチモードと、各チューナによるチャンネルサーチをずらして何れか一つのチューナのチャンネルサーチが完了してから、他のチューナによるチャンネルサーチを実行するように制御する段階的チャンネルサーチモードとが選択可能であることを特徴とする。
【００１２】
請求項３の構成によれば、地上波アナログ放送のチャンネルサーチとケーブルテレビ（デジタル放送）や地上波デジタル放送のチャンネルサーチとをほぼ同時に開始するか、一方のチューナによる地上波アナログ放送のチャンネルサーチが完了してから、他方のチューナによるケーブルテレビ（デジタル放送）や地上波デジタル放送のチャンネルサーチへと移行するかを選択し、そのチャンネルサーチモードに従ってチャンネルサーチが開始される。
【００１３】
請求項４に係る自動プリセット機能を備えた放送受信装置は、請求項１〜３の何れか１項に記載の自動プリセット機能を備えた放送受信装置において、前記放送受信装置は、前記チャンネルサーチのプリセット情報に基づいて選局した放送番組の視聴中、サブ画面で他方のチューナによるチャンネルサーチ情報が表示可能であることを特徴とする。
【００１４】
請求項４の構成によれば、一方のチューナで受信した映像を表示部で表示させながら、他方のチューナによるチャンネルサーチの状況を２画面表示させて確認することが可能である。
【発明の効果】
【００１５】
請求項１に係る自動プリセット機能を備えた放送受信装置によれば、地上波アナログ放送、地上波デジタル放送、ケーブルテレビによるアナログ放送又はデジタル放送、衛星放送などの放送方式又は／及び放送モードが異なる放送信号が受信可能な複数の電子同調型チューナを備え、これらのチューナで受信した放送信号を記憶手段で記憶するとともに、その記憶手段に記憶されているプリセット情報に基づいて所望のチャンネルを選局する自動プリセット機能を備えた放送受信装置において、前記各チューナを制御する制御手段を設け、この制御手段によって、前記各チューナ毎に前記放送方式又は／及び放送モードが異なる放送信号をそれぞれ個別に受信するように制御するとともに、その各チューナがほぼ同時にチャンネルサーチを実行するように制御され、前記各チューナの何れかのチャンネルサーチが終了した時点において、そのプリセット情報を記憶手段で記憶し、他のチャンネルサーチの継続時において、前記終了したチャンネルサーチのプリセット情報に基づいて選局可能な放送番組が視聴可能であるから、複数のチューナを並列して用いてチャンネルサーチを実行することで、チャンネル数が多いときでも短時間でオートプリセット動作を完了できるとともに、何れか一方のプリセット動作が完了した時点で、他方のチャンネルサーチが続行中であっても、完了したチャンネルサーチのプリセット情報に基づいて放送番組の視聴が可能となるから、ユーザーに無用な待ち時間を意識させることもなく、特に、受信チャンネル数が多い地上波デシタル放送には効果的である。
【００１６】
請求項２に係る自動プリセット機能を備えた放送受信装置によれば、地上波アナログ放送、地上波デジタル放送、ケーブルテレビによるアナログ放送又はデジタル放送、衛星放送などの放送方式又は／及び放送モードが異なる放送信号が受信可能な複数の電子同調型チューナを備え、これらのチューナで受信した放送信号を記憶手段で記憶するとともに、その記憶手段に記憶されているプリセット情報に基づいて所望のチャンネルを選局する自動プリセット機能を備えた放送受信装置において、前記各チューナを制御する制御手段を設け、この制御手段によって、前記各チューナ毎に放送方式又は／及び放送モードが異なる放送信号をそれぞれ個別に受信するように制御するとともに、各チューナによるチャンネルサーチをずらして何れか一つのチューナのチャンネルサーチが完了してから、他のチューナによるチャンネルサーチを実行するように制御するとともに、最初のチャンネルサーチが終了した時点において、そのプリセット情報を記憶手段で記憶し、その後のチャンネルサーチの継続時において前記終了したプリセット情報に基づいて選局可能な放送番組が視聴可能であるから、受信チャンネル数が多い地上波デジタル放送などをチャンネルサーチする際、一方のチャンネルサーチが終了した時点で放送番組の視聴が可能となるから、ユーザーに無用な待ち時間を意識させることがない。
【００１７】
請求項３に係る自動プリセット機能を備えた放送受信装置によれば、地上波アナログ放送、地上波デジタル放送、ケーブルテレビによるアナログ放送又はデジタル放送、衛星放送などの放送方式又は／及び放送モードが異なる放送信号が受信可能な複数の電子同調型チューナを備え、これらのチューナで受信した放送信号を記憶手段で記憶するとともに、その記憶手段に記憶されているプリセット情報に基づいて所望のチャンネルを選局する自動プリセット機能を備えた放送受信装置において、前記各チューナを制御する制御手段を設け、この制御手段によって、前記各チューナ毎に前記放送方式又は／及び放送モードが異なる放送信号をそれぞれ個別に受信するように制御する同時チャンネルサーチモードと、各チューナによるチャンネルサーチをずらして何れか一つのチューナのチャンネルサーチが完了してから、他のチューナによるチャンネルサーチを実行するように制御する段階的チャンネルサーチモードとが選択可能であるから、必要に応じて同時チャンネルサーチモードと段階的チャンネルサーチモードとが選択可能であるとともに、何れのチャンネルサーチモードを選択したとしても、一方のチューナによるチャンネルサーチが完了した時点で受信可能な放送番組を視聴することができる。
【００１８】
請求項４に係る自動プリセット機能を備えた放送受信装置によれば、請求項１〜３の何れか１項に記載の自動プリセット機能を備えた放送受信装置において、前記放送受信装置は、前記チャンネルサーチのプリセット情報に基づいて選局した放送番組の視聴中、サブ画面で他方のチューナによるチャンネルサーチ情報が表示可能であるから、受信可能な映像を視聴しながら継続中のチャンネルサーチの状況を視覚的に確認することができる。
【発明を実施するための最良の形態】
【００１９】
以下、本発明を実施するための最良の形態としての実施例を図１〜図６を参照して説明する。もちろん、本発明は、その発明の趣旨に反さない範囲で、実施例において説明した以外のものに対しても容易に適用可能なことは説明を要するまでもない。
【００２０】
図１〜図６は、本発明の一実施例を示し、図１は本発明の概略を示すブロック図、図２はチャンネルサーチモードを模式的に表した説明図であり、図２（Ａ）は同時チャンネルサーチモードを示す説明図、図２（Ｂ）は段階的チャンネルサーチモードを示す説明図、図３は同時チャンネルサーチモードと段階的チャンネルサーチモードの選択画面を示す説明図、図４は、同時チャンネルサーチモードにおけるプリセット動作を示すフローチャート、図５は段階的チャンネルサーチモードにおけるプリセット動作を示すフローチャート、図６はチャンネルサーチの状況を２画面表示させた状態を示す説明図である。図１において、アンテナ１で受信した放送信号は、分配器22から2台のチューナ３ａとチューナ３ｂに供給される。チューナ３ａ、３ｂはそれぞれ分配器２からの放送信号を受信・復調し映像信号等を出力するとともに、制御部５の選局信号に基づいてスイッチ４よりチューナ３ａ、３ｂより出力される映像信号等を切換えて表示部６によって映像等を表示する。
【００２１】
多画面表示処理部７は、制御部５から供給された表示設定信号に基づき、表示モードの切り換えを行う。例えば多画面表示モードに設定されたときには、表示部６は、チューナ３ａ、３ｂより出力される映像信号による映像を一つの画面上に複数同時に表示する。また、一画面表示モードに設定されたときには、チューナ３ａ、３ｂの何れかより出力される映像信号による映像のみを画面上に表示する。また、多画面表示モードに設定された際、図６に示すように、何れか一方のチューナ３ａ、３ｂ、例えばチューナ３ａから出力される映像信号による映像Ａと他方のチューナ３ｂのチャンネルサーチ情報をサブ画面Ｂで表示させることで、一つの画面上に同時に表示することも可能である。
【００２２】
制御部５は、マイクロコンピュータ等を用いて構成されており、視聴者が操作を行う操作部や、リモートコントロール装置などのユーザー入力装置８からの信号が出力され、このユーザー入力装置８から入力された操作情報は記憶手段としての不揮発性メモリ９に格納される。この不揮発性メモリ９には、前記選局時に用いるプリセット情報の他、表示モードや映像および音声に関する各種設定情報等が格納され、不揮発性メモリ９に格納されるプリセット情報に基づき選局信号を生成し、各チューナ３ａ、３ｂの選局制御を行う。また、不揮発性メモリ９に記憶されている各種設定情報に基づきテレビジョン受像機の動作を制御する。
【００２３】
次にオートプリセット動作について説明する。オートプリセット動作は、図２（Ａ）に示すように一方のチューナ、例えばチューナ３ａによる地上波のアナログ放送（以下、アナログ放送と称す）のチャンネルサーチと他方のチューナ３ｂによる例えばケーブルテレビ（デジタル放送）や地上波デジタル放送、（以下、その代表例として地上波デジタル放送を具体例として示す）のチャンネルサーチとをほぼ同時に開始する同時チャンネルサーチモードと、図２（Ｂ）に示すように一方のチューナ３ａによるアナログ放送のチャンネルサーチが終了してから、他方のチューナ３ｂによる地上波デジタル放送のチャンネルサーチへと移行する段階的チャンネルサーチモードとの方法が可能であり、この同時チャンネルサーチモードと段階的チャンネルサーチモードは図３に示す設定画面ａで選択可能である。
【００２４】
同時チャンネルサーチモードにおけるプリセット動作を図４のフローチャートを参照して説明する。ユーザー入力装置８から入力されたオートプリセット操作によってオートプリセット動作が開始されると、まず、ステップＳ１にてアンテナ１から分配器２を経由してアナログ放送と地上波デジタル放送の信号がチューナ３ａ，チューナ３ｂに入力され、制御部５によりチューナ３ａ及びチューナ３ｂにより同時にチャンネルサーチを実行するように制御する。同時チャンネルサーチモードでは、何れか一方のチューナ３ａ（チューナ３ａ，チューナ３ｂの何れでも構わないが便宜上、チューナ３ａとする）では、地上波のアナログ放送のチャンネルサーチを実行し、他方のチューナ３ｂで例えば地上波デジタル放送のチャンネルサーチを実行する（ステップＳ２）。このようにしてチューナ３ａ，チューナ３ｂで地上波のアナログ放送、地上波デジタル放送の全ての放送チャンネルをサーチするが、地上波デシタルにおける放送局数は百を越えるチャンネルが存在することから、地上波のアナログ放送のチャンネルサーチに比べてチャンネルサーチの処理時間が長くなる。従って、チューナ３ａによる地上波のアナログ放送のチャンネルサーチが早く完了することになる（ステップＳ３）。この一方のチューナ３ａによる地上波のアナログ放送のチャンネルサーチが完了すると、そのプリセット情報を不揮発性メモリ９に書き込む処理を行う。このようにしてアナログ放送のチャンネルのプリセットが完了した時点でステップＳ４において不揮発性メモリ９に記憶されたアナログ放送のプリセット情報を読出すことによって、チューナ３ａを制御して該チューナ３ａで受信可能な映像を表示部６に表示することが可能となる。また、図６に示すようにチューナ３ａから出力される映像信号による映像Ａと他方のチューナ３ｂのチャンネルサーチ情報をサブ画面Ｂで表示させることで、一つの画面上に同時に表示させて確認することも可能である。この後、チューナ３ｂによる地上波デジタル放送のチャンネルサーチが完了すると、その地上波デジタル放送のプリセット情報が不揮発性メモリ９に書き込まれ、全ての放送チャンネルのチャンネルサーチが完了する。以上でプリセットを完了し、以後、制御部５からの信号でチューナ３ａ、３ｂのチャンネルサーチに対応させてスイッチ４を切換え、チューナ３ａまたはチューナ３ｂで受信した映像が表示部６にて表示されることができる。
【００２５】
次に段階的チャンネルサーチモードにおけるプリセット動作を図５のフローチャートを参照して説明する。段階的チャンネルサーチモードでは、同時チャンネルサーチモードと同様にステップＳ１０にてアンテナ１から分配器２を経由してアナログ放送と地上波デジタル放送の信号がチューナ３ａ，チューナ３ｂに入力され、ステップＳ１１にて制御部５によりチューナ３ａ又はチューナ３ｂの何れか一方のチューナ３ａ（チューナ３ａ，チューナ３ｂの何れでも構わないが便宜上、チューナ３ａとする）により、地上波のアナログ放送のチャンネルサーチを実行し、他方のチューナ３ｂで例えば地上波デジタル放送のチャンネルサーチを実行するが、段階的チャンネルサーチモードでは、ステップＳ１２にてチューナ３ａによって地上波のアナログ放送のチャンネルサーチを先行させて実行する。そして、そのアナログ放送のチャンネルサーチが完了した時点で（ステップＳ１３）、他方のチューナ３ｂにて地上波デジタル放送のチャンネルサーチを実行する（ステップＳ１４）。また、ステップＳ１３にてチューナ３ａによってチャンネルサーチしたアナログ放送のプリセット情報は不揮発性メモリ９に書き込まれ（ステップＳ１５）、チューナ３ｂによって地上波デジタル放送のチャンネルサーチが継続している状態であっても不揮発性メモリ９に記憶されたチャンネルの選局データを読出すとともに、チューナ３ａを制御して該チューナ３ａで受信し復調された信号に基づく映像を表示部６の画面に表示することが可能である（ステップＳ１６）。また、チューナ３ａによるアナログ放送のチャンネルサーチが完了してから実行されるチューナ３ｂによる地上波デジタル放送のチャンネルサーチが完了した時点で、その地上波デジタル放送のプリセット情報は不揮発性メモリ９に書き込まれ（ステップＳ１７）、こうして不揮発性メモリ９にはアナログ放送、地上波デジタル放送のプリセット情報が記憶され、以後、制御部５からの信号でチューナ３ａ、３ｂのチャンネルサーチに対応させてスイッチ４を切換え、チューナ３ａまたはチューナ３ｂで受信し復調された信号に基づく映像を表示部６の画面に表示される（ステップＳ１６）。
【００２６】
以上のように、地上波アナログ放送と地上波デジタル放送の全ての放送チャンネルをチャンネルサーチする場合、２画面表示等のために内蔵される複数のチューナ３ａ、３ｂを利用して同時又は段階的にチャンネルサーチし、そのチューナ３ａ、３ｂで受信されたチャンネルのプリセット情報を不揮発性メモリ９に記憶するものであるから、同時チャンネルサーチモードにおいては２台のチューナ３ａ、３ｂによってアナログ放送と地上波デジタル放送のチャンネルサーチを並列的に処理でき、１台のチューナでプリセットする場合に比べてチャンネルサーチに費やす時間をほぼ半減することができる。さらに、チューナ３ａ、３ｂの何れか一方のチャンネルサーチが完了した時点でそのプリセット情報が不揮発性メモリ９に記憶され、他方のチャンネルサーチが継続中であっても、不揮発性メモリ９に記憶されておりプリセット情報を読み出すことで、受信可能なチャンネルの映像を表示部６で表示することができる。これにより、全てチャンネルのチャンネルサーチが完了する間においてチャンネルサーチが完了したチャンネルについては、その放送番組を視聴することが可能となる。したがって、ユーザーに無用な待ち時間を意識させることもなく、特に、受信チャンネル数が地上波デジタル放送には効果的である。また、チューナで受信した放送番組を視聴している状態で、他方のチューナによるチャンネルサーチの状況をサブ画面Ｂで視覚的に把握できるので、全てチャンネルのチャンネルサーチが完了したことを容易に確認できるため、以後の選局動作もスムーズに行える。
【００２７】
以上、本発明の一実施例を詳述したが、本発明は前記実施例に限定されるものではなく、本発明の要旨の範囲内で種々の変形実施が可能である。例えば、前記実施例では、同時チャンネルサーチモードと段階的チャンネルサーチモードとが選択できるように構成しているが、少なくとも同時チャンネルサーチモードによって並列的にチャンネルサーチが行える構成だけでもよい。また、前記実施例では、地上波アナログ放送と地上波デジタル放送とをチャンネルサーチした例を示したが、地上波アナログ放送とケーブルテレビ又は衛星放送のアナログ放送、地上波アナログ放送とケーブルテレビによるデジタル放送又はアナログ放送あるいは地上波アナログ放送と衛星放送によるアナログ放送又はデシタル放送などの異なる放送方式又は／及び放送モードを複数あるチューナでそれぞれ個別に受信し、その最も早くチャンネルサーチが完了した段階で、そのプリセット情報に基づいて選局可能な放送番組が視聴可能であればよい。
【図面の簡単な説明】
【００２８】
【図１】本発明の一実施例の概略を示すブロック図である。
【図２】同上、チャンネルサーチモードを模式的に表した説明図であり、図２（Ａ）は同時チャンネルサーチモードを示す説明図、図２（Ｂ）は段階的チャンネルサーチモードを示す説明図である。
【図３】同上、チャンネルサーチモードの選択画面を示す説明図である。
【図４】同上、同時チャンネルサーチモードにおけるプリセット動作を示すフローチャートである。
【図５】同上、段階的チャンネルサーチモードにおけるプリセット動作を示すフローチャートである。
【図６】同上、チャンネルサーチの状況を２画面表示させた状態を示す説明図である。
【符号の説明】
【００２９】
３ａ，３ｂ  チューナ
９  不揮発性メモリ（記憶手段）
５  制御部
６  表示部
【図１】
2006211424.tif 000003
【図２】
2006211424.tif 000004
【図３】
2006211424.tif 000005
【図４】
2006211424.tif 000006
【図５】
2006211424.tif 000007
【図６】
2006211424.tif 000008